(57)【特許請求の範囲】
【請求項１】
枠組足場の組み立てにあたって、既設の下段側足場板から新設する上段側足場板の先行手摺りとして隣り合う建枠の対向する脚柱間に設置される手摺り枠に、足場板の桁側端部に沿うように取り付けられる幅木であって、起立姿勢に配置される幅木本体を有し、この幅木本体の両端部に夫々幅木本体取付金具を設け、これら幅木本体取付金具を、手摺り枠の両端部に取り付けられていて夫々建枠の脚柱に固定される所要の手摺り枠取付金具に取外し自在に取り付けることによって、幅木本体を起立姿勢に保持するようにした足場板用幅木。
【請求項２】
幅木本体取付金具は、幅木本体の外面側両端部に夫々固定された取付基材と、この取付基材に垂下連設されていて、前記手摺り枠取付金具に設けてある上下に貫通する開口部に上方より嵌挿される嵌挿金物と、幅木本体が起立姿勢で所定高さ位置に保持されるように前記嵌挿金物が前記開口部に嵌挿された状態で、前記開口部からの嵌挿金物の上方への抜け出しを阻止するストッパーとからなる請求項１に記載の足場板用幅木。
【請求項３】
ストッパーは、基板部の両端から両側板部を突設した略下向きコ字状の板バネと、この板バネの両側板部の夫々先端部外面に突設された係止ピンとからなるもので、背面壁と両側壁とで溝形に形成された嵌挿金物の下端部に前記板バネを嵌合すると共に、両係止ピンを、前記板バネの付勢力により溝形嵌挿金物の両側壁下端部に夫々設けたピン孔から没入自在に突出させ、この突出させた両係止ピンを前記手摺り枠取付金具の開口部の下端に係止させるようにしてなる請求項２に記載の足場板用幅木。
【請求項４】
ストッパーは、下端部に係止部片を形成した係止金具の上端部側を前記取付基材に枢着すると共に、係止金具と前記取付基材との間に、係止金具の下端係止部が前記嵌挿金物の下端面側を臨むように付勢するバネを介装してなるもので、前記嵌挿金物を前記手摺り枠取付金具の開口部に嵌挿する時は前記バネに抗して係止金具の下端係止部を前記嵌挿金物の下端部から引き離した状態で嵌挿し、前記嵌挿金物の嵌挿後はバネの付勢力で復元する係止金具の下端係止部を前記手摺り枠取付金具の開口部の下端に係止させるようにしてなる請求項２に記載の足場板用幅木。
【請求項５】
ストッパーは、前記手摺り枠取付金具に前記手摺り枠の縦枠の長手方向に沿うように取り付けたストッパーピン受け材にピン孔を設け、前記取付基材にストッパーピンを水平方向スライド自在に取り付けると共に、このストッパーピンをバネによってピン先端部側がストッパーピン受け材側に突出ように付勢させてなるもので、前記嵌挿金物を前記手摺り枠取付金具の開口部に嵌挿する時は前記バネに抗してストッパーピンの先端部をストッパーピン受け材側から引き離し、前記嵌挿金物の嵌挿後はバネの付勢力で復元するストッパーピンの先端部をストッパーピン受け材のピン孔に突入させるようにしてなる請求項２に記載の足場板用幅木。
【請求項６】
幅木本体取付金具は、幅木本体の外面側両端部に夫々固定された取付ブラケットと、前記手摺り枠取付金具の金具本体に外嵌合するように取付ブラケットに一体に形成された断面コ字状の嵌合枠部と、幅木本体が起立姿勢で所定高さ位置に保持されるように前記コ字状嵌合枠部が前記金具本体に外嵌合された状態で、前記前記コ字状嵌合枠部の対向壁部間に亘って挿通されることにより前記金具本体からの前記コ字状嵌合枠部の抜け出しを阻止するストッパーピンとからなる請求項１に記載の足場板用幅木。
【請求項７】
枠組足場の組み立てにあたって、既設の下段側足場板から新設する上段側足場板の先行手摺りとして隣り合う建枠の対向する脚柱間に設置される手摺り枠に、足場板の桁側端部に沿うように取り付けられる幅木であって、起立姿勢に配置される幅木本体を有し、この幅木本体には、手摺り枠の両端部に取り付けられていて建枠の脚柱に固定される所要の手摺り枠取付金具上に幅木本体の両端部が載置された状態でこの幅木本体を手摺り枠に固定するための幅木本体固定金具を設けてなる足場板用幅木。
【請求項８】
幅木本体固定金具は、幅木本体の外面側中間部２箇所に設けられた一対の縦中桟係止金具からなり、一方の縦中桟係止金具は、幅木本体の外面側所定箇所に固定される固定部片と、この固定部片に連設されていて、手摺り枠の一つの縦中桟にその外側方から係止するＬ形部片とからなり、他方の縦中桟係止金具は、幅木本体の外面に当接する基片部と、この基片部に連設されていて、手摺り枠の他の縦中桟にその外側方から係止するＬ形部片と、基片部に設けられた水平方向に長い長孔を挿通して、幅木本体の所定箇所にねじ込まれた蝶ボルトとからなるもので、固定側縦中桟係止金具のＬ形部片を手摺り枠の一つの縦中桟に外側方から係止させた状態で、可動側縦中桟係止金具を手摺り枠の他の縦中桟に対し外側方から近づくようにスライドさせて、そのＬ形部片が縦中桟に係止した状態で蝶ボルトを締め付けるようにしてなる請求項７に記載の足場板用幅木。
【請求項９】
幅木本体固定金具は、幅木本体の外面側中間部２箇所に設けられた一対の縦中桟係止金具からなり、一方の縦中桟係止金具は、幅木本体の外面側所定箇所に固定される固定部片と、この固定部片に連設されていて、手摺り枠の一つの縦中桟にその内側方から係止するＬ形部片を有し、他方の縦中桟係止金具は、幅木本体の外面に当接する基片部と、この基片部に連設されていて、手摺り枠の他の縦中桟にその内側方から係止するＬ形部片と、基片部に設けられた水平方向に長い長孔を挿通して、幅木本体の所定箇所にねじ込まれた蝶ボルトとからなるもので、固定側縦中桟係止金具のＬ形部片を手摺り枠の一つの縦中桟に内側方から係止させた状態で、可動側縦中桟係止金具を手摺り枠の他の縦中桟に対し内側方から近づくようにスライドさせて、そのＬ形部片が縦中桟に係止した状態で蝶ボルトを締め付けるようにしてなる請求項７に記載の足場板用幅木。
【請求項１０】
幅木が、起立姿勢に配置される幅木本体と、一側端部がヒンジによって幅木本体の下端部に枢着され、他側端部が隣り合う建枠の対向する横架材間に架け渡された足場板上に一側端部側が載置される隙間塞ぎ板とからなる請求項１〜９の何れかに記載の足場板用幅木。
【発明の詳細な説明】
【技術分野】
【０００１】
本発明は、枠組足場を組み立てる際に、既設の下段側足場板から新設する上段側足場板の先行手摺りとして隣り合う建枠の対向する脚柱に設置される手摺り枠に、足場板の桁側端部に沿うように取り付けられる幅木に関するものである。
【背景技術】
【０００２】
従来におけるこの種の足場板用幅木として、特許公報等の具体的な公知文献を挙げることはできないが、従来の先行手摺りとしては、幅木が付いていないものか、又は最初から幅木が取り付けてあるものの何れかしかなく、既存の手摺り枠に後付けで幅木が取り付けられるようになっているものは存在しない。
【発明の概要】
【発明が解決しようとする課題】
【０００３】
幅木の付いていない手摺り枠に幅木を後付けで取り付け用とすると、取付け可能な場所が限られているため、取付けが困難となる。また、最初から幅木が付いている手摺り枠では、幅木部分が破損した場合に、幅木部分のみの修理が交換が難しく、その作業に非常に手間がかかる。
【０００４】
本発明は、上記の事情に鑑み、既存の手摺り枠に簡単容易に取り付けできるようにした足場板用幅木を提供することを目的としている。
【課題を解決するための手段】
【０００５】
上記課題を解決するための手段を、後述する実施形態の参照符号を付して説明すると、請求項１に係る発明は、枠組足場の組み立てにあたって、既設の下段側足場板３から新設する上段側足場板３の先行手摺りとして隣り合う建枠４，４の対向する脚柱５，５に設置される手摺り枠２に、足場板３の桁側端部に沿うように取り付けられる幅木１Ａ〜１Ｃ，１Ｆであって、図１〜図２３及び図２８〜図３１に例示するように、起立姿勢に配置される幅木本体１５を有し、この幅木本体１５の両端部に夫々幅木本体取付金具１７，１７を設け、これら幅木本体取付金具１７，１７を、手摺り枠２の両端部に取り付けられていて夫々建枠４の脚柱５に固定される所要の手摺り枠取付金具１２に取外し自在に取り付けることによって、幅木本体１５を起立姿勢に保持するようにしたことを特徴とする。
【０００６】
請求項２は、請求項１に記載の足場板用幅木幅木において、幅木本体取付金具１７は、図１〜図１４及び図２８〜図３１に例示するように、幅木本体１５の外面側両端部に夫々固定された取付基材１８と、この取付基材１８に垂下連設されていて、前記手摺り枠取付金具１２に設けてある上下に貫通する開口部ａ又はｃに上方より嵌挿される嵌挿金物１９と、幅木本体１５が起立姿勢で所定高さ位置に保持されるように前記嵌挿金物１９が前記開口部ａに嵌挿された状態で、前記開口部ａ又はｃからの嵌挿金物１９の上方への抜け出しを阻止するストッパー２０とからなることを特徴とする
【０００７】
請求項３は、請求項２に記載の足場板用幅木において、ストッパー２０は、図１〜図８に例示するように、基板部２１ａの両端から両側板部２１ｂ，２１ｂを突設した略下向きコ字状の板バネ２１と、この板バネ２１の両側板部２１ｂ，２１ｂの夫々先端部外面に突設された係止ピン２２，２２とからなるもので、背面壁１９ａと両側壁１９ｂ，１９ｂとで溝形に形成された嵌挿金物１９の下端部に前記板バネ２１を嵌合すると共に、両係止ピン２２，２２を、前記板バネ２１の付勢力により溝形嵌挿金物１９の両側壁下端部に夫々設けたピン孔１９ｃ，１９ｃから没入自在に突出させ、この突出させた両係止ピン２２，２２を前記手摺り枠取付金具１２の開口部ａの下端に係止させるようにしてなることを特徴とする。
【０００８】
請求項４は、請求項２に記載の足場板用幅木において、ストッパー２０は、図９〜図１４に例示するように、下端部に係止部片２３ａを形成した係止金具２３の上端部側を前記取付基材１８に枢着すると共に、係止金具２３と前記取付基材１８との間に、係止金具２３の下端係止部２３ａが前記嵌挿金物１９の下端面側を臨むように付勢するバネ２５を介装してなるもので、前記嵌挿金物１９を前記手摺り枠取付金具１２の開口部ａに嵌挿する時は前記バネ２５に抗して係止金具２３の下端係止部２３ａを前記嵌挿金物１９の下端部から引き離した状態で嵌挿し、前記嵌挿金物１９の嵌挿後はバネ２５の付勢力で復元する係止金具２３の下端係止部２３ａを前記開口部ａの下端に係止させるようにしてなることを特徴とする。
【０００９】
請求項５は、請求項２に記載の足場板用幅木において、ストッパー２０は、図２８〜
図３１に例示するように、前記手摺り枠取付金具１２に前記手摺り枠２の縦枠７の長手方向に沿うように取り付けたストッパーピン受け材４４にピン孔４５を設け、前記取付基材１８にストッパーピン４６を水平方向スライド自在に取り付けると共に、このストッパーピン４６をバネ４７によってピン先端部４６ｏ側がストッパーピン受け材４４側に突出ように付勢させてなるもので、前記嵌挿金物１９を前記手摺り枠取付金具１２の開口部ｃに嵌挿する時は前記バネ４７に抗してストッパーピン４６の先端部４６ｏをストッパーピン受け材４４側から引き離し、前記嵌挿金物１９の嵌挿後はバネ４７の付勢力で復元するストッパーピン４６の先端部４６ｏをストッパーピン受け材４４のピン孔４５に突入させるようにしてなることを特徴とする。
【００１０】
請求項６は、請求項１に記載の足場板用幅木において、幅木本体取付金具１７は、図１５〜図２３に例示するように、幅木本体１５の外面側両端部に夫々固定された取付ブラケット２６と、前記手摺り枠取付金具１２の金具本体１２ａに外嵌合するように取付ブラケット２６に一体に形成された断面コ字状の嵌合枠部２７と、幅木本体１５が起立姿勢で所定高さ位置に保持されるように前記コ字状嵌合枠部２７が前記金具本体１２ａに外嵌合された状態で、前記前記コ字状嵌合枠部２７の対向壁部２７ａ，２７ｂ間に亘って挿通されることにより前記金具本体１２ａからの前記コ字状嵌合枠部２７の抜け出しを阻止するストッパーピン２８とからなることを特徴とする。
【００１１】
請求項７に係る発明は、枠組足場の組み立てにあたって、既設の下段側足場板３から新設する上段側足場板３の先行手摺りとして隣り合う建枠４，４の対向する脚柱５，５間に設置される手摺り枠２に、足場板３の桁側端部に沿うように取り付けられる幅木１Ｄ，Ｅであって、図２４〜図２７に例示するように、起立姿勢に配置される幅木本体１５を有し、この幅木本体１５には、手摺り枠２の両端部に取り付けられていて建枠４の脚柱５に固定される所要の手摺り枠取付金具１２上に幅木本体１５の両端部が載置された状態でこの幅木本体１５を手摺り枠２に固定するための幅木本体固定金具３４を設けてなることを特徴とする。
【００１２】
請求項８は、請求項７に記載の足場板用幅木において、幅木本体固定金具３４は、図２４及び図２５に示すように、幅木本体１５の外面側中間部２箇所に設けられた一対の縦中桟係止金具３５，３６からなり、一方の縦中桟係止金具３５は、幅木本体１５の外面側所定箇所に固定される固定部片３５ｏと、この固定部片３５ｏに連設されていて、手摺り枠２の一つの縦中桟１１にその外側方から係止するＬ形部片３５ａとからなり、他方の縦中桟係止金具３６は、幅木本体１５の外面に当接する基片部３６ｏと、この基片部３６ｏに連設されていて、手摺り枠２の他の縦中桟１１にその外側方から係止するＬ形部片３６ａと、基片部３６ｏに設けられた水平方向に長い長孔３７を挿通して、幅木本体１５の所定箇所にねじ込まれた蝶ボルト３８とからなるもので、固定側縦中桟係止金具３５のＬ形部片３５ａを手摺り枠２の一つの縦中桟１１に外側方から係止させた状態で、可動側縦中桟係止金具３６を手摺り枠２の他の縦中桟１１に対し外側方から近づくようにスライドさせて、そのＬ形部片３６ａが縦中桟１１に係止した状態で蝶ボルト３８を締め付けるようにしてなることを特徴とする。
【００１３】
請求項９は、請求項７に記載の足場板用幅木において、幅木本体固定金具３４は、図２６及び図２７に示すように、幅木本体１５の外面側中間部２箇所に設けられた一対の縦中桟係止金具４０，４１からなり、一方の縦中桟係止金具４０は、幅木本体１５の外面側所定箇所に固定される固定部片４０ｏと、この固定部片４０ｏに連設されていて、手摺り枠２の一つの縦中桟１１にその内側方から係止するＬ形部片４０ｏとからなり、他方の縦中桟係止金具４１は、幅木本体１５の外面に当接する基片部４１ｏと、この基片部４１ｏの一端部に連設されていて、手摺り枠２の他の縦中桟１１にその内側方から係止するＬ形部片４１ａと、基片部４１ｏに設けられた水平方向に長い長孔４２を挿通して、幅木本体１５の所定箇所にねじ込まれた蝶ボルト４３とからなるもので、固定側縦中桟係止金具４０のＬ形部片４０ａを手摺り枠２の一つの縦中桟１１に内側方から係止させた状態で、可動側縦中桟係止金具４１を手摺り枠２の他の縦中桟１１に対し内側方から近づくようにスライドさせて、そのＬ形部片４１ａが縦中桟１１に係止した状態で蝶ボルト４３を締め付けるようにしてなることを特徴とする。
【００１４】
請求項１０は、請求項１〜９の何れかに記載の足場板用幅木において、幅木１Ａ〜１Ｆが、起立姿勢に配置される幅木本体１５と、一側端部がヒンジＨによって幅木本体１５の下端部に枢着され、他側端部が隣り合う建枠４，４の対向する横架材６，６間に架け渡された足場板３上に一側端部側が載置される隙間塞ぎ板１６とからなることを特徴としている。
【発明の効果】
【００１５】
上記解決手段による発明の効果を、後述する実施形態の参照符号を付して説明すると、請求項１に係る発明によれば、幅木１Ａ〜１Ｃ，１Ｆの幅木本体１５の両端部に夫々幅木本体取付金具１７，１７を設けているから、これら幅木本体取付金具１７，１７を、手摺り枠２の両端部に取り付けられていて夫々建枠４の脚柱５に固定される所要の手摺り枠取付金具１２，１２に取外し自在に取り付けることによって、幅木本体１５を既存の手摺り枠２に簡単に取り付けることができ、また簡単に取り外すことができる。
【００１６】
請求項２に係る発明によれば、幅木本体取付金具１７が、幅木本体１５の外面側両端部に夫々固定された取付基材１８と、この取付基材１８に連設されて、手摺り枠取付金具１２に設けてある上下に貫通する開口部ａ又はｃに上方より嵌挿される嵌挿金物１９と、幅木本体１５が起立姿勢で所定高さ位置に保持されるように嵌挿金物１９が開口部ａ又はｃに嵌挿された状態で、前記開口部ａ又はｃからの嵌挿金物１９の上方への抜け出しを阻止するストッパー２０とからなるため、嵌挿金物１９を手摺り枠取付金具１２の開口部ａ又はｃに挿入すれば、ストッパー２０で抜け出しを阻止されることになって、幅木１Ａ〜１Ｃ，１Ｆの幅木本体１５を起立姿勢に確実に保持固定することができる。
【００１７】
請求項３に係る発明によれば、幅木本体取付金具１７のストッパー２０が、略コ字状の板バネ２１と、この板バネ２１の両側板部２１ｂ，２１ｂの先端部外面に突設してなる係止ピン２２，２２とからなるもので、溝形に形成された嵌挿金物１９の下端部に板バネ２１を嵌合すると共に、両係止ピン２２，２２を、板バネ２１の付勢力により溝形嵌挿金物１９の両側壁１９ｂ，１９ｂ下端部に設けたピン孔１９ｃ，１９ｃから没入自在に突出させ、この突出させた両係止ピン２２，２２を手摺り枠取付金具１２の開口部ａの下端に係止させればよいから、簡単な構造でありながら、抜け止め機能を有効に発揮させることができると共に、幅木１Ａの幅木本体１５を一層確実に保持固定できる。
【００１８】
請求項４に係る発明によれば、幅木本体取付金具１７のストッパー２０が、下端部に係止部片２３ａを形成した係止金具２３の上端部側を取付基材１８に枢着すると共に、係止金具２３と取付基材１８との間に、係止部２３ａが嵌挿金物１９の下端面側を臨むように付勢するバネ２５を介装したもので、嵌挿金物１９を手摺り枠取付金具１２の開口部ａに嵌挿する時はバネ２５に抗して係止部２３ａを嵌挿金物１９の下端部から引き離し、嵌挿後はバネ２５の付勢力で復元する係止金具２３の下端係止部２３ａを開口部ａの下端に係止させる構成であるから、ストッパー２０が構造的に頑強となり、抜け止め機能を有効に発揮できると共に、幅木Ｂの幅木本体１５を一層確実に保持固定できる。
【００１９】
請求項５に係る発明によれば、ストッパー２０は、手摺り枠取付金具１２に取り付けたストッパーピン受け材４４にピン孔４５を設け、取付基材１８にストッパーピン４６を水平方向スライド自在に取り付けると共に、ストッパーピン４６をバネ４７によってピン先端部４６ｏ側がストッパーピン受け材４４側に突出ように付勢させてなるもので、嵌挿金物１９を手摺り枠取付金具１２の開口部ｃに嵌挿する時はバネ４７に抗してストッパーピン４６の先端部４６ｏをストッパーピン受け材４４側から引き離し、前記嵌挿金物１９の嵌挿後はバネ４７の付勢力で復元するストッパーピン４６の先端部４６ｏをストッパーピン受け材４４のピン孔４５に突入させるようにしたから、ストッパー２０の抜け止め機能を有効に発揮させることができると共に、幅木１Ｆの幅木本体１５を一層確実に保持固定することができる。
【００２０】
請求項６に係る発明によれば、幅木本体取付金具１７が、幅木本体１５の両端部に夫々固定された取付ブラケット２６と、手摺り枠取付金具１２の金具本体１２ａに外嵌合するように取付ブラケット２６に形成された断面コ字状の嵌合枠部２７と、幅木本体１５が起立姿勢で所定高さ位置に保持されるようにコ字状嵌合枠部２７が手摺り枠取付金具１２の金具本体１２ａに外嵌合された状態で、コ字状嵌合枠部２７の対向壁部２７ａ，２７ｂ間に亘って挿通されることにより金具本体１２ａからのコ字状嵌合枠部２７の抜け出しを阻止するストッパーピン２８とからなるため、幅木本体１５の取付け時には、幅木本体１５の両端部に夫々取り付けられた幅木本体取付金具１７のコ字状嵌合枠部２７を、手摺り枠取付金具１２の金具本体１２ａに外嵌合させて、ストッパーピン２８をコ字状嵌合枠部２７の対向壁部２７ａ，２７ｂ間に亘って挿通させればよく、また幅木本体１５を取り外す時は、ストッパーピン２８を引き抜いて、コ字状嵌合枠部２７を手摺り枠取付金具１２の金具本体１２ａから引き外せばよいから、幅木１Ｃの幅木本体１５の取付け及び取外しを簡単容易に行うことができる。
【００２１】
請求項７に係る発明によれば、幅木１Ｄ，１Ｅの幅木本体１５には、手摺り枠２の両端部に取り付けられていて建枠４の脚柱５に固定される所要の手摺り枠取付金具１２上に幅木本体１５の両端部が載置された状態でこの幅木本体１５を手摺り枠２に固定するための幅木本体固定金具３４を設けているから、この幅木本体固定金具３４によって、幅木本体１５を既存の手摺り枠２に対し簡単に取り付けることができ、また簡単に取り外すことができる。
【００２２】
請求項８に係る発明によれば、幅木１Ｄを取り付ける時は、起立姿勢の幅木本体１５の両端部を、手摺り枠２の左右両縦枠７，７に取り付けられた手摺り枠取付金具１２，１２上に載置させた後、固定側縦中桟係止金具３５のＬ形部片３５ａを手摺り枠２の左側の縦中桟１１に対しその外側方から係止させた状態で、可動側縦中桟係止金具３６をそのＬ形部片３６ａが縦中桟１１に対しその外側方から近づくようにスライドさせて、Ｌ形部片３６ａが縦中桟１１に係止した状態で蝶ボルト３８を締め付けることによって、幅木本体１５を手摺り枠２に迅速容易に固定することができ、また幅木１Ｄを取り外す時は、蝶ボルト３８を緩めて、可動側縦中桟係止金具３６をそのＬ形部片３６ａが縦中桟１１から外側方へ離れるようにスライドさせればよいから簡単に取り外すことができる。
【００２３】
請求項９に係る発明によれば、幅木１Ｅを取り付ける時は、起立させた幅木本体１５の両端部を、手摺り枠２の左右両縦枠７，７に取り付けられた手摺り枠取付金具１２，１２上に載置した後、固定側縦中桟係止金具４０のＬ形部片４０ａを手摺り枠２の左側の縦中桟１１に対しその内側方から係止させた状態で、可動側縦中桟係止金具４１をそのＬ形部片４１ａが右側の縦中桟１１に対しその内側方から近づくようにスライドさせて、Ｌ形部片４１ａが縦中桟１１に係止した状態で蝶ボルト４３を締め付けることにより、幅木本体１５を手摺り枠２に対し迅速容易に固定することができ、また幅木１Ｅを取り外す時は、蝶ボルト４３を緩めて、可動側縦中桟係止金具４１をそのＬ形部片４１ａが縦中桟１１から内側方へ離れるようにスライドさせればよいから簡単に取り外すことができる。
【００２４】
請求項１０に係る発明によれば、幅木１Ａ〜１Ｆが、起立姿勢に配置される幅木本体１５と、一側端部がヒンジＨによって幅木本体１５の下端部に枢着され、他側端部が隣り合う建枠４，４の対向する横架材６，６間に架け渡された足場板３上に一側端部側が載置される隙間塞ぎ板１６とからなるため、幅木本体１５を手摺り枠２に取り付けると同時に、隙間塞ぎ板１６が使用可能な状態となるから、幅木の取付け作業が迅速容易に行えると共に、幅木の取外し作業も簡単容易となり、また隙間塞ぎ板１６を幅木本体１５に対し折り畳みできるため、収納及び運搬に便利である。
【図面の簡単な説明】
【００２５】
【図１】(a) は本発明に係る足場板用幅木の一実施形態を示す正面図であり、(b) は平面図、(c) は右側面図である。
【図２】図１に示す手摺り枠の一部拡大図である。
【図３】(a-1) 及び(a-2) は図２に示される手摺り枠に設けてある上部側手摺り枠取付金具の取付状態を示す斜視図、(b-1) 及び(b-2) は下部側手摺り枠取付金具の使用状態を示す斜視図である。
【図４】図１に示す足場板用幅木を手摺り枠の手摺り枠取付金具に取り付ける方法を説明する説明平面図である。
【図５】(a) 及び(b) は図４の幅木の取付方法を示す説明図、(c) 及び(d) は同幅木本体の取外し方法を示す説明側面図である。
【図６】(a) は図４に示す幅木の取付状態を示す拡大正面図、(b) は拡大平面図である。
【図７】(a) は幅木本体取付金具の一例を示す側面図、(b) は平面図、(c) は正面図である。
【図８】(a) は幅木本体取付金具の嵌挿金物を手摺り枠取付金具の開口部に嵌挿してストッパーで抜け出しを阻止した状態を示す正面図、(b) はストッパーでの抜け出し阻止を解除した状態を示す正面図である。
【図９】(a) は本発明の他の実施形態による足場板用幅木の正面図、(b) は平面図、(c) は右側面図である。
【図１０】図９に示す足場板用幅木を手摺り枠側の手摺り枠取付金具に取り付ける方法を説明する説明平面図である。
【図１１】(a) 及び(b) は図４の幅木の取付方法を示す説明図、(c) 及び(d) は同幅木本体の取外し方法を示す説明側面図である。
【図１２】(a) は図９に示す幅木の取付状態を示す拡大正面図、(b) はその平面図である。
【図１３】(a) は図９に示す幅木の幅木本体取付金具の拡大正面図、(b) は大平面図、(c) は右側面図である。
【図１４】図１３に示す幅木本体取付金具の取付状態を示すもので、(a) はストッパーで抜け出し阻止した状態の側面図、(b) はストッパーでの抜け出し阻止を解除した状態の側面図である。
【図１５】(a) は本発明の他の実施形態による幅木の取付状態を示す拡大平面図であり、(b) はその正面図である。
【図１６】図１５に示す幅木の幅木本体取付金具を示す正面図、(b) は平面図、(c) は右側面図である。
【図１７】図１５に示す幅木本体取付金具の取付状態を示し、(a) はストッパーピンで抜け出しを阻止した状態の側面図、(b) はストッパーピンでの抜け出し阻止を解除した状態の側面図である。
【図１８】(a) は本発明の更に他の実施形態による幅木の取付状態を示す拡大平面図、(b) はその正面図である。
【図１９】(a) は図１８に示す幅木の幅木本体取付金具を示す正面図、(b) は平面図、(c) は左側面図である。
【図２０】図１８に示す幅木本体取付金具の取付状態を示し、(a) はストッパーピンで抜け出しを阻止した状態の側面図、(b) はストッパーピンでの抜け出し阻止を解除した状態の側面図である。
【図２１】(a) は本発明の更に他の実施形態による幅木の取付状態を示す拡大平面図、(b) はその正面図である。
【図２２】図２１に示す幅木の幅木本体取付金具を示す正面図、(b) は平面図、(c) は左側面図である。
【図２３】図２１に示す幅木本体取付金具の取付状態を示し、(a) はストッパーピンで抜け出しを阻止した状態の側面図、(b) はストッパーピンでの抜け出し阻止を解除した状態の側面図である。
【図２４】(a) は本発明に係る他の更に幅木の一実施形態を示す正面図、(b) はその平面図である。
【図２５】(a) 及び(b) は図２４に示す幅木の幅木本体取付金具によって幅木本体を手摺り枠の縦中桟に取り付ける状態を説明する説明平面図であり、(c) は図２４の(b) のＡ−Ａ線拡大断面図、(d) は(c) の矢印Ｂで示す部分の拡大図である。
【図２６】(a) は本発明の他の実施形態による幅木の正面図であり、(b) はその平面図である。
【図２７】(a) 及び(b) は図２６に示す幅木の幅木本体取付金具によって幅木本体を手摺り枠の縦中桟に取り付ける状態を説明する説明平面図、(c) は図２６の(b) のＣ−Ｃ線拡大断面図である。
【図２８】(a) は更に他の実施形態による幅木本体取付金具を有する幅木の正面図、(b) は平面図、(c) は右側面図、(d) は手摺り枠取付金具にストッパーピン受け枠を取り付ける状態を示す正面図、(e) はその平面図である。
【図２９】(a) は図２８に示す幅木本体取付金具の平面図、(b) は正面図、(c) は右側面図である。
【図３０】(a) は幅木本体に設けた幅木本体取付金具の嵌挿金物を手摺り枠取付金具に差し込む前の状態を示す正面図、(b) はその平面説明図である。
【図３１】(a) は幅木本体取付金具の嵌挿金物を手摺り枠取付金具に差し込んで、ストッパーピンをストッパーピン受け枠のピン孔に差し込んだ状態の正面図、(b) はその平面図である。
【図３２】幅木の隙間塞ぎ板を幅木本体に折り畳んだ状態で隙間塞ぎ板を幅木本体に固定する固定金具の取付状態を示すもので、(a) は隙間塞ぎ板を幅木本体に折り畳んだ状態を幅木本体側から見た正面図、(b) は同状態の側面図、(c) は同状態を隙間塞ぎ板の裏側から見た正面図、(d) は(c) の平面図である。
【発明を実施するための形態】
【００２６】
以下に本発明の好適な一実施形態を図面に基づいて説明すると、先ず、図１の(a) は本発明の一実施形態による足場板用幅木１Ａを示す正面図、(b) は平面図、(c) は右側面図であり、この図において２は、枠組足場を組み立てる際に既設の下段側足場板３から新設する上段側足場板３の先行手摺りとして、隣り合う建枠４，４の対向する脚柱５，５間に設置される手摺り枠である。この手摺り枠２は、図１の(a) から分かるように、左右縦枠７，７と上下横枠８，９と横中桟１０と縦中桟１１，１１とから構成される。また、建枠４は、全体の図示は省略するが、両側一対の脚柱５，５と両脚柱５，５の上端部をつなぐ横架材６とからなるもので、対向する建枠４，４の横架材６，６間に足場板３がその両端部に突設されたフックＦ，Ｆを介して架け渡されるようになっている。
【００２７】
手摺り枠２の左右縦枠７，７には夫々、手摺り枠取付金具１２，１３，１４が各縦枠７の上下３箇所に取り付けてあり、これらの手摺り枠取付金具１２，１３，１４によって、手摺り枠２が、隣り合う建枠４，４の対向する脚柱５，５間に設置されるようになっている。手摺り枠取付金具１２は、図１の(a) に示すように、足場板３とほぼ同一のレベルで縦枠７に取り付け固定され、手摺り枠取付金具１３は、手摺り枠取付金具１２の下方位置で縦枠７に取り付け固定され、また手摺り枠取付金具１４は、縦枠７の上部側に取り付け固定される。図２には手摺り枠２の左右縦枠７，７の夫々下部側に取り付け固定された手摺り枠取付金具１２，１３を示し、これら手摺り枠取付金具１２，１３を図３に夫々拡大して示す。
【００２８】
図３の(a-1) 及び(a-2) は、足場板３とほぼ同一のレベルで手摺り枠２の左右縦枠７，７に取り付け固定される手摺り枠取付金具１２，１２を示すもので、各手摺り枠取付金具１２は、上下方向に貫通する開口部ａ，ｂを備えた金具本体１２ａの基端部に、手摺り枠２の縦枠７に外嵌してリベット止め等により固着されるリング状嵌合部１２ｂを形成し、さらに金具本体１２ａの先端部に、建枠４の横架材６に係合載置されるフック部１２ｃを形成したもので、本発明に係る足場板用幅木１Ａの幅木本体１５は、この手摺り枠取付金具１２を利用して取り付けるようにしている。尚、図２８〜図３１に示す実施形態の手摺り枠取付金具１２は、上下方向に貫通する開口部ａ，ｂ，ｃ，ｄを備えている。
【００２９】
図３の(b-1) ，(b-2) は、手摺り枠取付金具１２の下方に固定される手摺り枠取付金具１３を示したもので、金具本体１３ａの基端部に、手摺り枠２の縦枠７に外嵌してリベット止め等により固着されるリング状嵌合部１３ｂを形成し、金具本体１３ａの先端側に、建枠４の脚柱５を抱持する平面視略Ｕ字状の抱持枠部１３ｃを形成したもので、抱持枠部１３ｃの一端部からロックピン１３ｄを他端部にわたり挿通させることによって脚柱５に固定されるようになっている。尚、手摺り枠取付金具１４は、詳細な図示は省略するが、建枠４の脚柱５に係合するフックからなるもので、図１の(a) に概略示すように縦枠７に係合する使用位置とこの位置から縦枠７に沿って折り畳まれる折畳位置とに姿勢変更可能に縦枠７に枢着されている。
【００３０】
足場板用幅木１Ａは、図１に概略図示するように、起立姿勢に配置される幅木本体１５と、一側端部がヒンジＨによって幅木本体１２の下端部に枢着され、他側端部が建枠４，４の横架材６，６間に架け渡された足場板３上に一側端部側が載置される隙間塞ぎ板１６とからなるもので、幅木本体１５の外面側両端部に夫々幅木本体取付金具１７，１７を設け、これら幅木本体取付金具１７，１７を、手摺り枠２の両端部に取り付けられていて、隣り合う建枠４，４の対向する脚柱５，５に夫々固定される手摺り枠取付金具１２，１２に取外し自在に取り付けることにより、幅木本体１５を起立姿勢に保持するようになっている。
【００３１】
幅木本体取付金具１７は、図６〜図８に示すように、幅木本体１５の外面側両端部に溶接（又はリベット止め）によって固定される例えばアングル片からなる取付基材１８と、この取付基材１８に垂下連設されていて、建枠４の脚柱５に固定される手摺り枠取付金具１２に設けてある上下に貫通する開口部ａに上方より嵌挿される嵌挿金物１９と、幅木本体１５が起立姿勢で所定高さ位置に保持されるように前記嵌挿金物１９が前記開口部ａに嵌挿された状態で、前記開口部ａからの嵌挿金物１９の上方への抜け出しを阻止するストッパー２０とからなるもので、アングル片からなる取付基材１８は、図７に示すように、一方の板部１８ａが幅木本体１５に固定され、他方の板部１８ｂの下端部に嵌挿金物１９が垂下連結される。嵌挿金物１９は、背面壁１９ａと両側壁１９ｂ，１９ｂとで溝形に形成されている。
【００３２】
上記ストッパー２０は、図７及び図８に示すように、基板部２１ａの両端から両側板部２１ｂ，２１ｂを垂設した略下向きコ字状の板バネ２１と、この板バネ２１の両側板部２１ｂ，２１ｂの夫々先端部外面に突設された係止ピン２２，２２とからなるもので、背面壁１９ａと両側壁１９ｂ，１９ｂとで溝形に形成された嵌挿金物１９の下端部に前記板バネ２１を内嵌合すると共に、両係止ピン２２，２２を、前記板バネ２１の付勢力によって溝形嵌挿金物１９の両側壁１９ｂ，１９ｂ下端部に夫々設けたピン孔１９ｃ，１９ｃから没入自在に突出させ、この突出させた両係止ピン２２，２２を前記手摺り枠取付金具１２の開口部ａの下端縁部に係止させてロックするようにし、そしてロックを解除する時には両係止ピン２２，２２を押えて嵌挿金物１９のピン孔１９ｃ，１９ｃに没入させた状態で嵌挿金物１９を引き上げるようにすればよい。
【００３３】
図５の(a) 〜(d) は、上記のような構成の幅木本体取付金具１７によって、幅木１Ａの幅木本体１５を、建枠４，４の脚柱５，５に固定される手摺り枠取付金具１２，１２に取り付ける取付け方法及び取外し方法を示したもので、先ず、(a) に示すように、幅木本体１５と隙間塞ぎ板１６とを互いに折り畳んで起立姿勢とした幅木１Ａ全体を、既に所定高さ位置に設置されている手摺り枠２の内面沿いに下ろしながら、図４に示すように、幅木本体１５の両端部にある幅木本体取付金具１７の嵌挿金物１９，１９を、手摺り枠２の両縦枠７，７に取り付けてある手摺り枠取付金具１２，１２の開口部ａ，ａに夫々挿入して幅木１Ａの両端部を両手摺り枠取付金具１２，１２上に支持させ、図５の(b) に示すように隙間塞ぎ板１６を倒して、その先端部を足場板３上に載せる。
【００３４】
各幅木本体取付金具１７の嵌挿金物１９を手摺り枠取付金具１２の開口部ａに挿入する時は、嵌挿金物１９の両側壁１９ｂ，１９ｂのピン孔１９ｃ，１９ｃ（図７参照）から突出している板バネ２１の係止ピン２２，２２（ストッパー２０）を外側から押えてピン孔１９ｃ，１９ｃに没入させた状態で、嵌挿金物１９を開口部ａに差し込めば、嵌挿金物１９の下端部が開口部ａを出た時に、両係止ピン２２，２２が板バネ２１の付勢力でピン孔１９ｃ，１９ｃから突出して開口部ａの下端縁に係止し、ロック状態となって、開口部ａからの嵌挿金物１９の上方への抜け出しが阻止され、幅木本体１５は起立姿勢に確実に固定される。
【００３５】
また、幅木１Ａを取り外す時は、図５の(c) に示す状態から、隙間塞ぎ板１６を立ち上げて幅木本体１５と重ね合わせた状態で、板バネ２１の係止ピン２２，２２を外側から押えてロック解除し、(d) に示すように幅木１Ａ全体を上方へ持ち上げることにより、簡単容易に幅木１Ａを取り外すことができる。
【００３６】
図１〜図８によって説明した幅木１Ａは、幅木本体１５の両端部に、この幅木本体１５を所要の手摺り枠取付金具１２に取外し自在に取り付けるための幅木本体取付金具１７を備えているから、既設の下段側足場板から新設する上段側足場板の先行手摺りとして設置される手摺り枠２の両端部の手摺り枠取付金具１２を利用して、これに幅木本体取付金具１７を取り付けることにより、簡単に幅木１Ａを取り付けることができる。
【００３７】
また、この幅木本体取付金具１７は、幅木本体１５の外面側両端部に夫々固定された取付基材１８と、この取付基材１８に垂下連結されて、建枠４の脚柱５に固定された手摺り枠取付金具１２に設けてある上下に貫通する開口部ａに上方より嵌挿される嵌挿金物１９と、幅木本体１５が起立姿勢で所定高さ位置に保持されるように嵌挿金物１９が手摺り枠取付金具１２の開口部ａに嵌挿された状態で、開口部ａからの嵌挿金物１９の上方への抜け出しを阻止するストッパー２０とからなるもので、嵌挿金物１９を手摺り枠取付金具１２の開口部ａに挿入すれば、ストッパー２０で抜け出しを阻止されるから、幅木本体１５を起立姿勢に保持固定することができる。
【００３８】
また、この場合、ストッパー２０は、略コ字状の板バネ２１と、この板バネ２１の両側板部２１ｂ，２１ｂの先端部外面に突設してなる係止ピン２２，２２とからなるもので、溝形に形成された嵌挿金物１９の下端部に板バネ２１を嵌合すると共に、両係止ピン２２，２２を、板バネ２１の付勢力により溝形嵌挿金物１９の両側壁１９ｂ，１９ｂ下端部に設けたピン孔１９ｃ，１９ｃから没入自在に突出させ、この突出させた両係止ピン２２，２２を手摺り枠取付金具１２の開口部ａの下端に係止させればよいから、簡単な構造でありながら、抜け止め機能を有効に発揮させることができる。
【００３９】
図９〜図１４には、本発明の他の実施形態による足場板用幅木１Ｂを示している。この幅木１Ｂは、幅木本体取付金具１７の特にストッパー２０の構成が幅木１Ａと異なるだけで、それ以外の構成は幅木１Ａとほぼ同様である。即ち、幅木本体取付金具１７は、図１３に示すように、幅木本体１５の外面側両端部に夫々リベット止め（又は溶接によって）固定されるコ字枠状の取付基材１８と、このコ字枠状取付基材１８の一側部下端に溶接により垂下連結されていて、建枠４の脚柱５に固定される手摺り枠取付金具１２に設けられた上下に貫通する開口部ａに上方より嵌挿される嵌挿金物１９と、幅木本体１５が起立姿勢で所定高さ位置に保持されるように溝形の嵌挿金物１９が前記開口部ａに嵌挿された状態で、前記開口部ａからの嵌挿金物１９の上方への抜け出しを阻止するストッパー２０とによって構成される。
【００４０】
ストッパー２０は、図１３に示すように、下端部に係止部片２３ａを形成した係止金具２３の上端部を、係止金具２３と一体の耳片２３ｂ，２３ｂを介して枢支ピン２４によりコ字枠状取付基材１８に枢着すると共に、係止金具２３の上端部と取付基材１８との間に、係止金具２３の下端係止部２３ａが溝形嵌挿金物１９の下端面側を臨むように付勢するバネ２５を介装してなるもので、嵌挿金物１９を手摺り枠取付金具１２の開口部ａに嵌挿する時は前記バネ２５に抗して係止金具２３の下端係止部２３ａを嵌挿金物１９の下端部から引き離した状態で嵌挿し、嵌挿金物１９の嵌挿後はバネ２５の付勢力で復元する係止金具２３の下端係止部２３ａを前記開口部ａの下端側に係止させるようにしている。
【００４１】
図１０及び図１１の(a) 〜(d) は、上記のような構成のストッパー２０を有する幅木本体取付金具１７によって、幅木１Ｂの幅木本体１５を、建枠４，４の脚柱５，５に固定される手摺り枠取付金具１２，１２に取り付ける取付け方法及び取外し方法を示すもので、先ず、図１０及び図１１の(a) に示すように、幅木本体１５と隙間塞ぎ板１６とを互いに折り畳んで起立姿勢とした幅木１Ａ全体を、既に所定高さ位置に設置されている手摺り枠２の内面沿いに下ろしながら、図１０に示すように、幅木本体１５の両端部にある幅木本体取付金具１７，１７の嵌挿金物１９，１９を手摺り枠２の両縦枠７，７にある手摺り枠取付金具１２，１２の開口部ａ，ａに夫々挿入して、幅木１Ａの両端部を両手摺り枠取付金具１２，１２上に支持させ、図１１の(b) に示すように隙間塞ぎ板１６を倒し、その先端部を足場板３上に載せる。
【００４２】
各幅木本体取付金具１７の嵌挿金物１９を手摺り枠取付金具１２の開口部ａに挿入する時は、図１１の(a) に示すように、バネ２５に抗して係止金具２３の下端係止部２３ａを嵌挿金物１９の下端部から側方へ引き離した状態で開口部ａに嵌挿し、嵌挿金物１９の嵌挿後は、図１１の(b) に示すようにバネ２５の付勢力で係止金具２３が元の位置へ復帰して、下端係止部２３ａが手摺り枠取付金具１２の開口部ａ下端に係止し、幅木本体１５は起立姿勢に保持固定される。そして、幅木１Ｂを取り外す時は、図１１の(c) 及び図１４の(b) に示すように挿入時と同様にバネ２５に抗して係止金具２３の下端係止部２３ａを嵌挿金物１９の下端部から側方へ引き離した状態で、図１１の(d) に示すように幅木１Ａ全体を上方へ持ち上げることにより、嵌挿金物１９を開口部ａから抜いて、幅木１Ａを簡単に取り外すことができる。
【００４３】
上述した幅木１Ｂでは、幅木本体取付金具１７のストッパー２０は、下端部に係止部片２３ａを形成した係止金具２３の上端部側を取付基材１８に枢着すると共に、係止金具２３と取付基材１８との間に、係止部２３ａが嵌挿金物１９の下端面側を臨むように付勢するバネ２５を介装したもので、嵌挿金物１９を手摺り枠取付金具１２の開口部ａに嵌挿する時はバネ２５に抗して係止部２３ａを嵌挿金物１９の下端部から引き離し、嵌挿後はバネ２５の付勢力で復元する係止金具２３の下端係止部２３ａを開口部ａの下端に係止させる構成であるから、ストッパー２０が構造的に頑強となり、抜け止め機能を有効に発揮できると共に、幅木本体１５を確実に保持固定することができる。
【００４４】
図１５〜図２３には本発明の更に他の実施形態による足場板用幅木１Ｃを示しており、この幅木１Ｃは、幅木本体取付金具１７の構成が幅木１Ａ，１Ｂと異なっている。即ち、この幅木１Ｃの幅木本体取付金具１７は、具体的には後述するように、幅木本体１５の外面側両端部に夫々固定された取付ブラケット２６と、前記手摺り枠取付金具１２の金具本体１２ａに外嵌合するように取付ブラケット２６に一体に形成された断面コ字状の嵌合枠部２７と、幅木本体１５が起立姿勢で所定高さ位置に保持されるように前記コ字状嵌合枠部２７が前記金具本体１２ａに外嵌合された状態で、前記コ字状嵌合枠部２７の対向壁部２７ａ，２７ｂ間に亘って挿通されることにより前記金具本体１２ａからの前記コ字状嵌合枠部２７の抜け出しを阻止するストッパーピン２８とからなる。
【００４５】
また図１５〜図２３に示す幅木１Ｃには３種類の幅木本体取付金具１７があって、特に図１５〜図１７に示す幅木１Ｃの幅木本体取付金具１７を１７ａとし、図１８〜図２０に示す幅木１Ｃの幅木本体取付金具１７を１７ｂとし、図２１〜図２３に示す幅木１Ｃの幅木本体取付金具１７を１７ｃとする。
【００４６】
先ず、図１５〜図１７に示す幅木１Ｃの幅木本体取付金具１７ａについて更に説明すれば、図１６の(a) 〜(c) から分かるように、幅木本体取付金具１７ａの取付ブラケット２６には、横向きコ字状に形成された嵌合枠部２７の上部にＬ字状の取付枠部２９が一体に形成され、この取付枠部２９が幅木本体１５の端部外面に夫々溶接（又はリベット止め）によって固定される。横向きコ字状嵌合枠部２７の上下対向壁部２７ａ，２７ｂにはピン孔２７ａｏ，２７ｂｏが設けてあり、上壁部２７ａのピン孔２７ａｏから下壁部２７ｂのピン孔２７ｂｏにストッパーピン２８が挿通される。またＬ字状取付枠部２９の上壁部２９ａにはストッパーピン２８が挿通可能な切欠溝３０が設けられており、非使用時には、図１７の(b) に示すように、ストッパーピン２８を引き上げて上部側を切欠溝３０に挿通させ、ピン２８をほぼ９０°回転させてピン２８の上端折曲部２８ｏを上壁部２９ａに係止させることによって、非使用位置に保持できるようにしている。また、ストッパーピン２８には上端折曲部２８ｏの下部側に抜け止めピン３１が取り付けてあって、非使用時にストッパーピン２８を引き上げて切欠溝３０に挿通させる時に、ピン２８全体が抜け出ないようになっている。
【００４７】
上記幅木本体取付金具１７ａによって、幅木１Ｃの幅木本体１５を、建枠４，４の脚柱５，５に固定される手摺り枠取付金具１２，１２に取り付けるには、幅木本体１５の両端部に夫々取り付けた幅木本体取付金具１７ａのコ字状嵌合枠部２７を、手摺り枠２の各縦枠７に取り付けられた手摺り枠取付金具１２の金具本体１２ａ（図３の(a-1) ，(a-2) 参照）に対し横方向に外嵌合し、しかしてストッパー２８を、コ字状嵌合枠部２７の上壁部２７ａのピン孔２７ａｏから金具本体１２ａの開口部ｂを通って下壁部２７ｂのピン孔２７ｂｏに挿通させればよく、それにより金具本体１２ａからのコ字状嵌合枠部２７の抜け出しを阻止して、図１５の(a) ，(b) 及び図１７の(a) ，(b) に示すように幅木本体１５の両端部を手摺り枠取付金具１２，１２上に載置した状態でこれら手摺り枠取付金具１２，１２に固定することができる。また、幅木１Ｃの隙間塞ぎ板１６を倒して、その先端部を足場板３上に載せる。
【００４８】
図１８〜図２０に示す幅木１Ｃの幅木本体取付金具１７ｂについて説明すれば、図１９の(a) 〜(c) から分かるように、幅木本体取付金具１７ａの取付ブラケット２６には、下向きコ字状に形成された嵌合枠部２７の上部にＩ字状の取付枠部２９が一体に形成され、この取付枠部２９が幅木本体１５の端部外面に夫々溶接（又はリベット止め）によって固定される。下向きコ字状嵌合枠部２７の左右対向壁部２７ａ，２７ｂには下端部にピン孔２７ａｏ，２７ｂｏが設けられ、左壁部２７ａのピン孔２７ａｏにはナット３２が同心状に固着されていて、このナット３２から左右壁部２７ａ，２７ｂのピン孔２７ａｏ，２７ｂｏに蝶ボルトからなるストッパーピン２８が挿通されて、固定ナット３２に螺合されるようになっている。
【００４９】
この幅木本体取付金具１７ｂによって、幅木１Ｃの幅木本体１５を、建枠４，４の脚柱５，５に固定される手摺り枠取付金具１２，１２に取り付けるには、幅木本体１５の両端部に夫々取り付けられた幅木本体取付金具１７ａのコ字状嵌合枠部２７を、手摺り枠２の各縦枠７に取り付けられた手摺り枠取付金具１２の金具本体１２ａ（図３の(a-1) ，(a-2) 参照）に対し上方より外嵌合し、しかしてコ字状嵌合枠部２７の左壁部２７ａ下端部の固定ナット３２及びピン孔２７ａｏから右壁部２７ｂのピン孔２７ｂｏに蝶ボルトからなるストッパーピン２８を通し入れ、蝶形頭３３を回してストッパーピン２８を固定ナット３２に対し締付け固定することにより、金具本体１２ａからのコ字状嵌合枠部２７の抜け出しを阻止し、図１８の(a) ，(b) 及び図２０の(a) に示すように、幅木本体１５の両端部を手摺り枠取付金具１２，１２上に載置した状態でこれら手摺り枠取付金具１２，１２に固定することができる。そして幅木本体１５を取り外す時には、図２０の(b) に示すように、ストッパーピン２８を固定ナット３２に対し緩み方向に回して引き抜けばよい。
【００５０】
図２１〜図２３に示す幅木１Ｃの幅木本体取付金具１７ｃについてさらに説明すれば、図２２の(a) 〜(c) から分かるように、幅木本体取付金具１７ａの取付ブラケット２６には、左右壁部２７ａ，２７ｂと下壁部２７ｃとからなる上向きコ字状嵌合枠部２７の上部にＩ字状の取付枠部２９が一体に形成され、この取付枠部２９が幅木本体１５の端部外面に夫々溶接（又はリベット止め）により固着される。上向きコ字状嵌合枠部２７の左右対向壁部２７ａ，２７ｂには夫々上端部にピン孔２７ａｏ，２７ｂｏが設けられ、右壁部２７ｂのピン孔２７ｂｏから左壁部２７ａのピン孔２７ａｏにストッパーピン２８が挿通されて、抜け止めされるようになっている。
【００５１】
この幅木本体取付金具１７ｃによって、幅木１Ｃの幅木本体１５を、建枠４，４の脚柱５，５に固定される手摺り枠取付金具１２，１２に取り付けるには、幅木本体１５の両端部に夫々取り付けられた幅木本体取付金具１７ａの上向きコ字状嵌合枠部２７を、図２１の(b) 及び図２３の(a) に示すように手摺り枠２の各縦枠７に取り付けられた手摺り枠取付金具１２の金具本体１２ａ（図３の(a-1) ，(a-2) 参照）に対し下方より外嵌合して、この上向きコ字状嵌合枠部２７の右壁部２７ｂのピン孔２７ｂｏ（図２２参照）から左壁部２７ａのピン孔２７ａｏにストッパーピン２８挿通することによって、金具本体１２ａからのコ字状嵌合枠部２７の抜け出しを阻止し、図２１の(a) ，(b) 及び図２０の(a) に示すように、幅木本体１５の両端部を手摺り枠取付金具１２，１２上に載置した状態でこれら手摺り枠取付金具１２，１２に固定することができる。幅木本体１５を取り外す時には、図２３の(b) に示すように、ストッパーピン２８を引き抜けばよい。ストッパーピン２８はボルトからなるものでもよい。
【００５２】
上述した図１５〜図２３に示すような足場板用幅木１Ｃによれば、幅木本体取付金具１７が、幅木本体１５の外面側両端部に夫々固定された取付ブラケット２６と、前記手摺り枠取付金具１２の金具本体１２ａに外嵌合するように取付ブラケット２６に一体に形成された断面コ字状の嵌合枠部２７と、幅木本体１５が起立姿勢で所定高さ位置に保持されるようにコ字状嵌合枠部２７が手摺り枠取付金具１２の金具本体１２ａに外嵌合された状態で、コ字状嵌合枠部２７の対向壁部２７ａ，２７ｂ間に亘って挿通されることにより金具本体１２ａからのコ字状嵌合枠部２７の抜け出しを阻止するストッパーピン２８とから構成されるため、幅木本体１５の取付けにあたっては、幅木本体１５の両端部に夫々取り付けられた幅木本体取付金具１７のコ字状嵌合枠部２７を、手摺り枠取付金具１２の金具本体１２ａに外嵌合させて、ストッパーピン２８をコ字状嵌合枠部２７の対向壁部２７ａ，２７ｂ間に亘って挿通させればよく、また幅木本体１５を取り外す時は、ストッパーピン２８を引き抜いて、コ字状嵌合枠部２７を手摺り枠取付金具１２の金具本体１２ａから引き外せばよいから、幅木本体１５の取付け及び取外しを簡単容易に行うことができる。
【００５３】
図２４及び図２５には、本発明に係る他の足場板用幅木１Ｄを示す。この幅木１Ｄは、起立姿勢に配置される幅木本体１５を有し、この幅木本体１５には、手摺り枠２の左右各縦枠７に取り付けられていて建枠４の脚柱５に固定される所要の手摺り枠取付金具１２上に幅木本体１５の両端部が載置された状態でこの幅木本体１５を手摺り枠２に固定するための幅木本体固定金具３４が設けられている。図２４の(a) はその一実施形態による幅木１Ｄを示す正面図、(b) は平面図であり、図２５の(a) 及び(b) は図２４に示す幅木１Ｄの幅木本体固定金具３４によって幅木本体１５を手摺り枠２の縦中桟１１に取り付ける状態を説明する説明平面図であり、(c) は図２４の(b) のＡ−Ａ線拡大断面図、(d) は(c) の矢印Ｂで示す部分の拡大図である。
【００５４】
図２４及び図２５に示す幅木１Ｄの幅木本体固定金具３４は、幅木本体１５の外面側中間部２箇所に配設された鋼板製の一対の縦中桟係止金具３５，３６からなり、一方の縦中桟係止金具３５は、幅木本体１５の外面側所定箇所にリベット止め（又は溶接によって）固定される固定部片３５ｏと、この固定部片３５ｏに連設されていて、手摺り枠２の一つの縦中桟１１にその外側方から係止するＬ形部片３５ａとからなり、他方の縦中桟係止金具３６は、幅木本体１５の外面に当接する基片部３６ｏと、この基片部３６ｏに連設されていて、手摺り枠２の他の縦中桟１１にその外側方から係止するＬ形部片３６ａと、このＬ形部片３６ａに設けられた水平方向に長い長孔３７を挿通して、幅木本体１５の所定箇所にねじ込まれる蝶ボルト３８とからなるもので、固定側縦中桟係止金具３５のＬ形部片３５ａを手摺り枠２の一つの縦中桟１１に外側方から係止させた状態で、可動側縦中桟係止金具３６のＬ形部片３６ａを手摺り枠２の他の縦中桟１１に対し外側方から近づくようにスライドさせて、そのＬ形部片３６ａが縦中桟１１に係止した状態で蝶ボルト３８を締め付けることにより、幅木本体１５を手摺り枠２に固定するようになっている。
【００５５】
縦中桟係止金具３６の基片部３６ｏには、図２４の(a) に概略示すように、上下２つの長孔３７が設けてあって、各長孔３７には、幅木本体１５の所定箇所にねじ込まれる蝶ボルト３８が挿通される。なお、この蝶ボルト３８を幅木本体１５にねじ込むにあたって、幅木本体１５が例えば中空アルミ押出形材からなるもののように雌ねじ部の加工がし難い場合には、図２５の(d) に示すように、幅木本体１５の所定のねじ込み箇所に、蝶ボルト３８が螺合可能な雌ねじ部３９ａを有する例えばカシメナット３９をカシメ加工によって取り付けることにより、幅木本体１５に頑丈な雌ねじ部を確保できて、蝶ボルト３８を的確にねじ込ませることができる。
【００５６】
上記のような幅木本体固定金具３４によって、幅木１Ｄの幅木本体１５を、建枠４，４の脚柱５，５に固定される手摺り枠取付金具１２，１２に取り付ける時は、図２５の(c) に仮想線で示すように隙間塞ぎ板１６を幅木本体１５に重ねて起立させた状態で幅木本体１５の両端部を、手摺り枠２の左右両縦枠７，７に取り付けられた手摺り枠取付金具１２，１２上に載置させた後、図２５の(a) に示すように、固定側縦中桟係止金具３５のＬ形部片３５ａを手摺り枠２の左側の縦中桟１１に対しその左側（外側方）から係止させた状態で、可動側縦中桟係止金具３６をそのＬ形部片３６ａが右側の縦中桟１１に対し右側（外側方）から近づくようにスライドさせて、同図の(b) に示すように、Ｌ形部片３６ａが縦中桟１１に係止した状態で蝶ボルト３８を締め付けることによって、幅木本体１５を手摺り枠２に対し迅速容易に固定することができる。また、幅木１Ｄを取り外す時は、蝶ボルト３８を緩めて、可動側縦中桟係止金具３６をそのＬ形部片３６ａが縦中桟１１から外側方へ離れるようにスライドさせればよい。
【００５７】
図２６及び図２７は本発明に係る他の足場板用幅木１Ｅを示す。この幅木１Ｅは、前記幅木１Ｄとは幅木本体固定金具３４の作用方向が内外逆となる点が異なり、それ以外は幅木１Ｄと同様である。即ち、幅木１Ｅの幅木本体固定金具３４は、幅木本体１５の外面側中間部２箇所に配設した鋼板製の一対の縦中桟係止金具４０，４１からなり、一方の縦中桟係止金具４０は、幅木本体１５の外面側所定箇所にリベット止め（又は溶接）によって固定される固定部片４０ｏと、この固定部片４０ｏに連設されていて、手摺り枠２の一つの縦中桟１１にその内側方から係止するＬ形部片４０ａとからなり、他方の縦中桟係止金具４１は、幅木本体１５の外面に当接する基片部４１ｏと、この基片部４１ｏに連設されていて、手摺り枠２の他の縦中桟１１にその内側方から係止するＬ形部片４１ａと、前記基片部４１ｏに設けられた水平方向に長い長孔４２を挿通して、幅木本体１５の所定箇所にねじ込まれる蝶ボルト４３と、からなるもので、固定側縦中桟係止金具４０のＬ形部片４０ａを手摺り枠２の一つの縦中桟１１に内側方から係止させた状態で、可動側縦中桟係止金具４１のＬ形部片４１ａを手摺り枠２の他の縦中桟１１に対し内側方から近づくようにスライドさせて、そのＬ形部片４１ａが縦中桟１１に係止した状態で蝶ボルト４３を締め付けることにより、幅木本体１５を手摺り枠２に固定するようになっている。
【００５８】
上記した図２６及び図２７に示すような幅木本体固定金具３４によって、幅木１Ｅの幅木本体１５を、建枠４，４の脚柱５，５に固定される手摺り枠取付金具１２，１２に取り付ける時には、起立させた幅木本体１５の両端部を、手摺り枠２の左右両縦枠７，７に取り付けられた手摺り枠取付金具１２，１２上に載置した後、図２７の(a) に示すように、固定側縦中桟係止金具４０のＬ形部片４０ａを手摺り枠２の左側の縦中桟１１に対しその右側（内側方）から係止させた状態で、可動側縦中桟係止金具４１をそのＬ形部片４１ａが右側の縦中桟１１に対しその左側（内側方）から近づくようにスライドさせて、同図の(b) に示すように、Ｌ形部片４１ａが縦中桟１１に係止した状態で蝶ボルト４３を締め付けることによって、幅木本体１５を手摺り枠２に対し迅速容易に固定することができる。また、幅木１Ｅを取り外す時は、蝶ボルト４３を緩めて、可動側縦中桟係止金具４１をそのＬ形部片４１ａが縦中桟１１から内側方へ離れるようにスライドさせればよい。
【００５９】
図２８〜図３１は、本発明に係る他の足場板用幅木１Ｆを示す。この幅木１Ｆは、図１〜図１４に示す幅木１Ａ，１Ｂと共通する幅木本体取付金具１７を有し、そのストッパー２０に特徴がある。即ち、この幅木１Ｆは、幅木１Ａ，１Ｂの幅木本体取付金具１７とはストッパー２０の構成が異なるだけで、それ以外は幅木１Ａ，１Ｂとほぼ同様である。
【００６０】
即ち、幅木本体取付金具１７は、図２８に示すように、幅木本体１５の外面側両端部に夫々固定される取付基材１８と、この取付基材１８に垂下連設されていて、手摺り枠取付金具１２に設けてある上下に貫通する開口部ｃに上方より嵌挿される嵌挿金物１９と、幅木本体１５が起立姿勢で所定高さ位置に保持されるように前記嵌挿金物１９が前記開口部ｃに嵌挿された状態で、前記開口部ｃからの嵌挿金物１９の上方への抜け出しを阻止するストッパー２０とからなるもので、このストッパー２０は、図２８の(b) ，(d) ，(e) に示すように、手摺り枠取付金具１２に手摺り枠２の縦枠７長手方向に沿うように取り付けたストッパーピン受け材４４にピン孔４５（図３０の(a) 参照）を設け、取付基材１８にストッパーピン４６を水平方向スライド自在に取り付けると共に、このストッパーピン４６をコイルバネ４７によってピン先端部４６ｏ側がストッパーピン受け材４４側に突出ように付勢してなるもので、嵌挿金物１９を手摺り枠取付金具１２の開口部ｃに嵌挿する時はコイルバネ４７に抗してストッパーピン４６の先端部４６ｏをストッパーピン受け材４４側から引き離し、嵌挿金物１９の嵌挿後はコイルバネ４７の付勢力で復元するストッパーピン４６の先端部４６ｏをストッパーピン受け材４４のピン孔４５に突入させるようにしている。ストッパーピン受け材４４は、図２８の(d) ，(e) に示すように、手摺り枠取付金具１２の金具本体１２ａに形成した開口部ｄに挿着して取り付けられる。
【００６１】
上記ストッパー２０の構造についてさらに説明すれば、図２９の(a) 〜(c) に示すように、ストッパー２０の取付基材１８は、溝枠部１８ａと、これの溝開口端部から外向き直角に突設された取付部片１８ｂとからなるもので、取付部片１８ｂが幅木本体１５の外面側両端部に夫々リベット止め（又は溶接）によって固着される。ストッパーピン４６は、溝枠部１８ａをその幅方向に貫通し、コイルバネ４７によってピン先端部４６ｏ側が常時ストッパーピン受け材４４側に突出ように付勢され、ピン基端部側のＬ字状把手４６ａをコイルバネ４７に抗して引っ張ることによってストッパーピン受け材４４側から引き離すようになっている。またストッパーピン４６の先端部４６ｏは、図２９の(b) に示すように下面側がテーパ状に形成されている。
【００６２】
上記のような構成のストッパー２０を備えた幅木本体取付金具１７により、幅木１Ｆの幅木本体１５を、手摺り枠２の両端側の手摺り枠取付金具１２，１２に取り付けるには、図３０の(a) ，(b) に示すように、手摺り枠２の内側面沿いに幅木１Ｆを持ち上げた状態から、幅木本体１５の両端部に夫々取り付けた幅木本体取付金具１７の嵌挿金物１９を、手摺り枠取付金具１２の開口部ｃの真上に持ち来たす。この時、ストッパーピン４６の先端部４６ｏは、図３０の(a) に示すように、手摺り枠２の縦枠７の対向側面に当接した状態とする。
【００６３】
しかして、幅木１Ｆ全体をそのまま下ろしながら、幅木本体取付金具１７の嵌挿金物１９を手摺り枠取付金具１２の開口部ｃに挿入することになるが、この幅木１Ｆの下降時にストッパーピン４６のテーパ状先端部４６ｏが、図３０の(a) に示す状態からストッパーピン受け材４４に乗り上げて、その乗り上げ状態からストッパーピン受け材４４のピン孔４５に突入し、それによって手摺り枠取付金具１２の開口部ｃに挿入した幅木本体取付金具１７の嵌挿金物１９は、開口部ｃからの嵌挿金物１９の上方への抜け出しを阻止され、図３１の(a) ，(b) に示すように、幅木１Ｆの幅木本体１５は、その両端部が手摺り枠２の両端側の手摺り枠取付金具１２，１２上に載置された状態で手摺り枠２及び手摺り枠取付金具１２，１２に取付け固定される。
【００６４】
また、幅木１Ｆを取り外す時には、図３１の(a) ，(b) に示す状態から、ストッパー２０のストッパーピン４６の把手４６ａをコイルバネ４７に抗して引っ張り、ストッパーピン４６の先端部４６ｏをストッパーピン受け材４４のピン孔４５から離脱させてロック解除した後、幅木１Ｆ全体を持ち上げれば、各幅木本体取付金具１７の嵌挿金物１９が手摺り枠取付金具１２の開口部ｃから抜けるため、簡単容易に取り外すことができる。
【００６５】
図３２は、上述した幅木１Ａ〜１Ｆの隙間塞ぎ板１６を幅木本体１５に対し折り畳んだ状態で隙間塞ぎ板１６を幅木本体１５に固定する固定金具４８の取付状態を示すもので、(a) は隙間塞ぎ板１６を幅木本体１５に対して折り畳んだ状態を幅木本体１５側から見た正面図、(b) は同状態の側面図、(c) は同状態を隙間塞ぎ板１６の裏側から見た正面図、(d) は(c) の平面図である。この固定金具４８の取付状態は、図１、図９、図２４及び図２６の夫々(a) ，(b) にも示している。
【００６６】
この固定金具４８は、図３２の(a) 〜(d) に示すように、幅木本体１５の上端面中央部に取り付けたブラケット４９にフック軸５０を幅木本体１５の長さ方向にスライド自在に取り付け、フック軸５０の一端部にはフック５１をブラケット４９の外側に位置するように一体に突設すると共に、ブラケット４９とフック軸５０との間に、フック軸５０をフック５１側と反対側端部（他端部）側へ付勢するコイルバネ５２を介装し、隙間塞ぎ板１６側には隙間塞ぎ板１６を幅木本体１５側へ折り畳んだ状態で前記フック５１と対向する位置に、フック５１を前記コイルバネ５２の付勢力に抗して引っ張った状態でフック５１が係止可能な係止用長孔５３を設けてなるものである。
【００６７】
この固定金具４８の使用にあたっては、隙間塞ぎ板１６を幅木本体１５に折り畳んだ状態で、フック軸５０の一端部をコイルバネ５２の付勢力に抗して引っ張って、フック５１を、隙間塞ぎ板１６に設けてある係止用長孔５３の一端部に係止させることにより、幅木１Ａ〜１Ｆの隙間塞ぎ板１６を幅木本体１５に対し折り畳んだ状態に簡単に固定できる。また、隙間塞ぎ板１６を幅木本体１５に対して展開すると時には、幅木本体１５側にあるフック軸５０の一端部のフック５１をコイルバネ５２に抗して引っ張ることにより、このフック５１を、隙間塞ぎ板１６側にある係止用長孔５３から取り外して、隙間塞ぎ板１６を使用位置に展開させることができる。このように幅木１Ａ〜１Ｆを折り畳み状態に固定することによって、手摺り枠２に対する幅木１Ａ〜１Ｆの取付作業が容易となる。
【００６８】
以上説明した足場板用幅木幅木１Ａ〜１Ｆの実施形態には、各幅木を、起立姿勢に配置される幅木本体１５と、一側端部がヒンジＨによって幅木本体１５の下端部に枢着され、他側端部が隣り合う建枠４，４の対向する横架材６，６間に架け渡された足場板３上に一側端部側が載置される隙間塞ぎ板１６とから構成したものを例示したが、本発明に係る幅木は、上述した実施形態のように隙間塞ぎ板１６の一側端部をヒンジＨで幅木本体１５の下端部に枢着したものに限らず、隙間塞ぎ板１６の一側端部を、幅木本体１５の下端部に対し後付け式に取り付けるようにしたものでもよい。
【００６９】
但し、上述した実施形態のように隙間塞ぎ板１６をヒンジＨにより予め幅木本体１５に対し枢着した構造とすれば、幅木本体１５を手摺り枠２に取り付けると同時に、隙間塞ぎ板１６が使用可能な状態となるから、幅木の取付け作業が迅速容易に行えると共に、幅木の取外し作業も簡単容易となり、また隙間塞ぎ板１６を幅木本体１５に対し折り畳みできるため、収納及び運搬に便利である。またこのように隙間塞ぎ板１６をヒンジＨによって予め幅木本体１５に対し枢着した構造とした場合には、隙間塞ぎ板１６を幅木本体１５に対し折り畳んだ状態で隙間塞ぎ板１６を幅木本体１５に固定するための図３２に示すような固定金具４８を設けることにより、幅木１Ａ〜１Ｆの取付け及び取外し作業が一層容易となる。
【符号の説明】
【００７０】
１Ａ〜１Ｆ    足場板用幅木
２            手摺り枠
３            足場板
４            建枠
５            建枠の脚柱
６            建枠の横架材
７            手摺り枠の縦枠
１１          手摺り枠の縦中桟
１２          手摺り枠取付金具
１２ａ        手摺り枠取付金具の金具本体
１２ｂ        手摺り枠取付金具のリング状嵌合部
１２ｃ        手摺り枠取付金具のフック部
ａ，ｂ，ｃ    手摺り枠取付金具の開口部
１３          手摺り枠取付金具
１４          手摺り枠取付金具
１５          幅木本体
１６          隙間塞ぎ板
Ｈ            ヒンジ
１７          幅木本体取付金具
１７ａ        幅木本体取付金具
１７ｂ        幅木本体取付金具
１７ｃ        幅木本体取付金具
１８          幅木本体取付金具の取付基材
１９          幅木本体取付金具の嵌挿金物
２０          幅木本体取付金具のストッパー
２１          板バネ
２２          係止ピン
２３          係止金具
３５          縦中桟係止金具
３６          縦中桟係止金具
３７          長孔
３８          蝶ボルト
４０          縦中桟係止金具
４１          縦中桟係止金具
４４          ストッパーピン受け材
４３          蝶ボルト
４５          ピン孔
４６          ストッパーピン
４６ｏ        ストッパーピンの先端部
４７          バネ
４８          固定金具
【図１】
0005571520.tif 000002
【図２】
0005571520.tif 000003
【図３】
0005571520.tif 000004
【図４】
0005571520.tif 000005
【図５】
0005571520.tif 000006
【図６】
0005571520.tif 000007
【図７】
0005571520.tif 000008
【図８】
0005571520.tif 000009
【図９】
0005571520.tif 000010
【図１０】
0005571520.tif 000011
【図１１】
0005571520.tif 000012
【図１２】
0005571520.tif 000013
【図１３】
0005571520.tif 000014
【図１４】
0005571520.tif 000015
【図１５】
0005571520.tif 000016
【図１６】
0005571520.tif 000017
【図１７】
0005571520.tif 000018
【図１８】
0005571520.tif 000019
【図１９】
0005571520.tif 000020
【図２０】
0005571520.tif 000021
【図２１】
0005571520.tif 000022
【図２２】
0005571520.tif 000023
【図２３】
0005571520.tif 000024
【図２４】
0005571520.tif 000025
【図２５】
0005571520.tif 000026
【図２６】
0005571520.tif 000027
【図２７】
0005571520.tif 000028
【図２８】
0005571520.tif 000029
【図２９】
0005571520.tif 000030
【図３０】
0005571520.tif 000031
【図３１】
0005571520.tif 000032
【図３２】
0005571520.tif 000033